(57)【要約】【課題】エレガントな雰囲気に合致しかつ着脱が可能であって、さらに装飾的な機能と、表示や収納などの物理的な機能を兼ね備える装飾具を提供すること。【解決手段】装飾具１は、被取り付け体に取り付けるための係留体４と、係留体４の上端１３側に連結される飾り体保持部３と、飾り体保持部３の下端８寄りに接続される飾り体保持部３に対して開閉可能とされている飾り体部２とを有し、飾り体部２の内面側には時計などの機能体が設けられ、外面側には装飾部７が施されている。【選択図】図１
0003168660.tif 000002
【実用新案登録請求の範囲】
【請求項１】
被取り付け体に取り付けるための係留体と、上記係留体の一端側に連結される飾り体保持部と、該飾り体保持部の前記一端と反対となる他端に接続され前記飾り体保持部に対して開閉可能とされている飾り体部とを有し、前記飾り体部の内面側には機能体が設けられ、外面側には装飾部が施されていることを特徴とする装飾具。
【請求項２】
請求項１記載の装飾具において、
前記係留体は、枠状で少なくとも一方の先端が凸状に形成されると共に前記一端側に係留体回転部を有し、
前記飾り体保持部は、前記一端とは反対となる他端に飾り体回転部を有し、前記係留体回転部を介して前記係留体に連結されると共に前記係留体より短小で枠状とされ、
前記飾り体部は、筐体状に形成され前記飾り体回転部を回転中心として前記飾り体保持部に対して開閉可能とされている、
ことを特徴とする装飾具。
【請求項３】
請求項１または２に記載の装飾具において、
前記飾り体部は、前記飾り体保持部の後端側との間に隙間が設けられている、
ことを特徴とする装飾具。
【請求項４】
請求項１から３のいずれか１項に記載の装飾具において、前記機能体は、表示体であることを特徴とする装飾具。
【請求項５】
請求項１から３のいずれか１項に記載の装飾具において、前記飾り体部の内面には、開閉可能な蓋が設けられていることを特徴とする装飾具。
【考案の詳細な説明】
【技術分野】
【０００１】
本考案は、装飾具に関する。
【背景技術】
【０００２】
世界の人々から美しいといわれる女性用の着物としての和服は、着物本体の美しさだけでなく、付属品としての帯や帯紐などが統合されて芸術的な域まで高められている。このため、和服を着装する人はもとより、この着装した人と接する周囲の人たちにも快い感情をもたらすことができるものである。
【０００３】
したがって、この和服にさらに他の装飾具を付け加えて着飾ろうとする場合、折角着装した和服の芸術的とも言える美しさが損なわれないように、格別の配慮が必要とされる。しかし、このような日本の伝統的な美しい着物では、ともすれば実用的な機能、例えば物を収納したり、時間等を表示したりする装身具が装着される際には、着物とバランスがとれて似合うかどうか等、その装身具の選択には繊細な注意が必要とされる。また、時と場所によっては装身具を装着することが良とされないなど、不便を余儀なくされることもある。
【０００４】
和服のための装飾具としては、特許文献１に、帯紐等を係止する係止体に装飾体としての帯飾りなどが取り付け可能となるような構成が開示されている。また特許文献２には、根付け、ストラップ、キーホルダー等に利用できるような装飾品体とかんざし形状に形成された装飾品体とで構成される帯飾り等の装飾品が開示されている。
【先行技術文献】
【特許文献】
【０００５】
【特許文献１】実開昭６３−３９１１７号公報
【特許文献２】特開２００４−２８４００５号公報
【考案の概要】
【考案が解決しようとする課題】
【０００６】
しかしながら、特許文献１，２に示される装飾具の構成では、例えば帯飾りのような装飾具に時間を知る手段を設けたり、色々な物品を収納したりすることは困難である。
【０００７】
そこで、本考案者は、日本の女性用の和服である着物というエレガントな雰囲気を持つものに合致しかつ着脱が可能であって、さらに装飾的な機能と、物理的な機能としての各種の情報例えば時間や日付等の表示や、絵や写真さらには一寸した医薬品例えば頭痛薬やピルなどがさりげなく収納可能となるような機能体を有する装飾具を作成することを試みた。
【課題を解決するための手段】
【０００８】
本考案の装飾具は、被取り付け体に取り付けるための係留体と、係留体の一端側に連結される飾り体保持部と、飾り体保持部の前記一端と反対となる他端に接続され前記飾り体保持部に対して開閉可能とされている飾り体部とを有し、飾り体部の内面側には機能体が設けられ、外面側には装飾部が施されている。
【０００９】
また、係留体は、枠状で少なくとも一方の先端が凸状に形成されると共に一端側に係留体回転部を有し、飾り体保持部は一端とは反対となる他端に飾り体回転部を有し、係留体回転部を介して係留体に連結されると共に係留体より短小で枠状とされ、飾り体部は筐体状に形成され飾り体回転部を回転中心として飾り体保持部に対して開閉可能とされている。
【００１０】
さらに、飾り体部は、飾り体保持部の後端側との間に隙間が設けられているのが好ましい。
【００１１】
さらにまた、機能体は、表示体であるようにしてもよい。
【００１２】
飾り体部の内面には、開閉可能な蓋が設けられているようにしてもよい。
【考案の効果】
【００１３】
本考案の装飾具は、エレガントな雰囲気に合致しかつ着脱が可能であって、さらに装飾的な機能と、収納等の物理的な機能とを兼ね備えたものとなる。
【図面の簡単な説明】
【００１４】
【図１】本考案の実施の形態に係る装飾具が締め付け体に係留されている状態を示す図である。
【００１５】
【図２】図１に示す装飾具を説明する図であり、（A）は開放状態を示す斜視図で、（B）は要部断面図で、（C）は部分斜視図である。
【００１６】
【図３】図１に示す装飾具に組み込まれる機能体を示す図で、（Ａ）は機能体が時計の場合で、（Ｂ）は機能体が容器の場合を示す。
【００１７】
【図４】他の実施の形態を示す図で、（Ａ）は板状係留体と飾り体保持部とを示す斜視図で、（Ｂ）は係留体回転部の要部断面図である。
【００１８】
【図５】飾り体部が飾り体保持部に係止される様子を示す部分斜視図である。
【考案を実施するための形態】
【００１９】
以下、図を参照しながら本考案の実施の形態について説明する。
【００２０】
図１は、本考案の実施の形態に係る装飾具１を示す斜視図であり、装飾具１が、被取り付け体としての帯紐Ａに係留されている状態を示す図である。すなわち、装飾具１は、飾り体部２と、この飾り体部２と合体可能に形成されている飾り体保持部３と、帯紐Ａを飾り体保持部３との間に保持、係留する係留体４とで構成されている。なお、以下の説明において、図１に示す矢印Ｘ１方向を下方、矢印Ｘ２方向を上方、矢印Ｘ１，Ｘ２方向に対して直交する矢印Ｙ１，Ｙ２のうち、矢印Ｙ１方向を左方、矢印Ｙ２方向を右方、矢印Ｘ１，Ｘ２と矢印Ｙ１，Ｙ２の両者に対して直交する矢印Ｚ１，Ｚ２のうち、矢印Ｚ１方向を前方、矢印Ｚ２方向を後方として説明を行うこととする。
【００２１】
飾り体部２は、筐体状であって内面側に機能体５（図３参照））が収納される筐体立ち上り部６を有している。この飾り体部２の外観となる表面すなわち外側の面には、飾りとしての装飾部７が設けられている。なお、ここでいう装飾部７とは、飾り体部２の一部であったり、飾り体部２に後付された部材であったりする。すなわち、装飾部７とは、飾り体部２がきれいに磨き上げられてできた鏡面や、筋目模様、または飾り体部２に彫刻された模様や、飾り体部２の全面あるいは部分的に施された漆や絵の具または塗料などの塗装による模様、さらには七宝や蒔絵などを言い、さらにはダイヤモンドやルビーなどといった宝石などが固定された外観等を含むものである。また、装飾部７は、飾り体部２の下方へ飛び出したり、左右の一方または両方に突出したりしてもよい。
【００２２】
飾り体部２は、金やプラチナなどの貴金属の単体やその合金などを用いて作成するのが好ましい。しかし他の金属、例えばステンレス、チタンなどが用いられても良いし、銅やアルミニュウムあるいはそれらの合金に各種の貴金属鍍金などを施しても良いし、さらには陽極酸化や化成処理を施しても良い。
【００２３】
飾り体部２の下端８側には、飾り体部２と飾り体保持部３とがあたかも二枚貝のように開閉を可能とする飾り体回転部９（図３参照）の一部を構成する飾り体部軸ピン１０が設けられている。飾り体部軸ピン１０は、飾り体回転部９（図３参照）の一部を構成する飾り体部回転軸受け部９Ａに形成される軸孔９Ｂに挿通されている。図１では、この飾り体部軸ピン１０は、飾り体部２の側面を貫通するように設けられている。なお、貫通させる代わりに、飾り体部２の内側で飾り体部軸ピン１０に相当する位置には、飾り体部軸ピン１０を貫通させるのではなく、飾り体部軸ピン１０の先端を支持するような凹部（図示せず）を設けるようにしても良い。飾り体保持部３には、押圧係止部１１（図２参照）の一部を構成する複数の押圧部材１２が設けられている。この押圧部材１２は人が指で押圧すると押し込まれ、押圧を解除すると押し込まれる前の位置に戻るように構成されている。
【００２４】
すなわち、後述する図２で示されているように、押圧部材１２は、たとえば押し釦のように押し込まれることにより、飾り体保持部３と合体させられていた飾り体部２が、合体状態から開放状態へ移行するように構成されている。押圧部材１２は、図１では１つのみ表示されているが、右方にも存在し計２つ設けられている。２つとしたのは飾り体部２と飾り体保持部３との合体をより確実にするためである。すなわち、２つの押圧部材１２が同時に押圧されている状態のときに、飾り体部２が、飾り体保持部３から開放される構成とされている。しかしながら、必ずしも２つなどの複数設ける必要はなく、単数とする構成も可能である。
【００２５】
飾り体部２の上端１３寄りには外部操作部材１４が挿通され、さらには回転可能となるように設けられている。これは前述の機能体５が、たとえば時計の場合、操作する上での都合で設けられているものである。すなわち、外部操作部１４は、時計のリューズに相当するものである。機能体５が、たとえば絵や写真などの場合は、外部操作部１４は、必ずしも必要とはされないので、省略が可能とされる場合もある。
【００２６】
飾り体保持部３は、枠状の部材で形成されている。飾り体保持部３は、飾り体部２の上端１３の側において飾り体部２よりも上方に突出するように形成されている。つまり、飾り体保持部３は、飾り体部２と飾り体保持部３が合体したときに、飾り体部２の上端部１３との間に、隙間１５が配設されるように構成されている。この隙間１５は、飾り体部２が飾り体保持部３から開放されるに際して、指の先あるいは爪の先が引っ掛かるような間隙とすることが好ましい。
【００２７】
飾り体保持部３は上端１３側で飾り体部２より大きく突出させることにより、飾り体部２が飾り体保持部３の内側に納まったような状態とされる。このように飾り体保持部３が大きく突出されることにより、飾り体部２の縁の部分が装飾具を使用する人の着物に直接当たることが少なくなり、着物（和服）の擦傷を防止させることが可能とされる。なお、飾り体保持部３を構成する枠状の部材には、断面角状の部材が用いられるのが、工作のしやすさから好ましい。しかし、断面円状の形状であっても、部分的に角状にしたりすれば使用は可能である。なお、断面角状のものが用いられる場合は、角形の角の部分が鋭利とならないように丸味を付けるなどして着物の損傷を防止することが好ましい。
【００２８】
また、飾り体保持部３に前方柱状部１６が設けられ、係留体４に後方柱状部１７が設けられ、それぞれの先端側を接続することで飾り体保持部３と係留体４の間に一定の間隔を保たせることができるように構成されている。これは、締め付け体としての帯紐Ａの厚みに対応して間隔を保たせるようにすることにより、装飾具１を帯紐Ａに係留させることを容易にさせるとともに、一定の間隔を保たせることにより帯紐Ａが損傷するのを防止することが可能となる。
【００２９】
飾り体保持部３は、係留体４と対向するように設けられている。飾り体保持部３と係留体４との間に帯紐Ａを挟持して、装飾具１を着物に装着する。なお、被取り付け体としては、帯紐Ａの他に、帯そのものや洋服に使用されるベルト等としてもよい。飾り体保持部３と係留体４の上端１３寄りには、係留体回転部１８が設けられている。この係留体回転部１８は、飾り体保持部３から後方に突き出すように設けられる前方柱状部１６と、係留体４から前方に突き出すように設けられる後方柱状部１７とを回転軸１９を中心にして回動することができるように構成されている。つまり、係留体回転部１８は、飾り体保持部３と係留体４とを、回転軸１９の周りに互いに開閉するように回動できる構成とされている。
【００３０】
前方柱状部１６（飾り体保持部３）と後方柱状部１７（係留体４）とを回転軸１９の周りに回動することができる構成は、次のような構成となっている。前方柱状部１６の後端部と後方柱状部１７の先端部とは、左右方向において互いに重なる重なり部１６Ａと重なり部１７Ａとを有している（図２（Ｃ）参照）。重なり部１６Ａの後端と重なり部１７Ａの前端とは、前方柱状部１６と後方柱状部１７との回動を許容できるように弧状に形成されている。そして、重なり部１６Ａと重なり部１７Ａとには、左右方向に回転軸１９が貫通されている。回転軸１９は、重なり部１６Ａと重なり部１７Ａとに通された状態で、その両端に留め輪１９Ａが嵌められている。留め輪１９Ａが嵌められることで、回転軸１９が、前方柱状部１６および後方柱状部１７から抜け落ちてしまうことを防止されている。以上の構成により、前方柱状部１６（飾り体保持部３）と後方柱状部１７（係留体４）とを回転軸１９の周りに回動することができる。
【００３１】
なお、飾り体保持部３と係留体４とは、装着時には、通常、蝶の羽根が折り畳まれたように合体して閉じた状態とされ、帯紐Ａに装飾具１を挟み込んだ状態とされていることが必要である。したがって、後述する図２（Ａ）（Ｃ）に示されるように、回転軸１９を中心として、飾り体保持部３と係留体４とを互いに閉じる方向に付勢させる板バネ２６を設けるようにすることが好ましい。これにより、飾り体保持部３と係留体４とが不用意に開放されて装飾具１が帯紐Ａより脱落するのを防止することができる。
【００３２】
係留体４は枠状部材で形成されていて、平面形状の下端４Ａ側が卵形様の丸味を帯びた凸状の形とされている。係留体４の上端４Ｂ側と飾り体保持部３の上端３Ａ側とは、それぞれの端面が平行で、突出することなくほぼ同じ位置関係となるように構成されている。このような構成とされる理由は、端面の位置が揃わないと、ずれた状態となりその結果、段差が発生したりして、着衣、たとえば着物が傷められたりすることを防止するためである。したがって、デザインの都合上、やむを得ず段差を設けることが必要な場合には、着衣を傷めたりすることのないように、たとえばゴムや樹脂等の軟らかい部材を塗布あるいは巻き付けるなどすることが好ましい。
【００３３】
上述したように、係留体４は、下端４Ａ側が平面卵形状の丸味を帯びた凸形状とされている。さらに、飾り体部２や飾り体保持部３よりは長く、下方にはみ出したような形状とされている。このような構成としたのは、装飾具１を帯紐Ａに挟み込んで着物に装着させたときに、前方側に位置する飾り体部２に上下方向に引っ張る力が加わったとしても、帯紐Ａを挟んで係留体４はテコの原理でその長さが長い分だけ、脱落に対する物理的な抵抗力が大きくなり、安全に装着されるためである。
【００３４】
図２（Ａ）は、装飾具１を構成する飾り体部２と飾り体保持部３とが閉じた状態から開放された状態を示す斜視図である。
【００３５】
図２（Ａ）（Ｂ）で示すように、押圧係止部１１は、飾り体部２を飾り体保持部３に係止させたり、開放させたりする働きを有している。図２（Ｂ）は、押圧係止部１１の断面の概略の構成を示す図である。図２（Ａ）（Ｂ）に示すように、押圧係止部１１は、押圧部材１２と、突起２０を有する係留部材２１と、円柱状のシリンダ２７と、シリンダ２７の内部に配置されるスプリング２８とを有している。押圧部材１２および係留部材２１は左右に一対設けられ、係留部材２１は、押圧部材１２に対して固定されている。押圧部材１２は、柱状体であり、各押圧部材１２の一端がシリンダ２７内に挿入されている。
【００３６】
スプリング２８は、シリンダ２７内に挿入された２本の押圧部材１２の間に配置され、２本の押圧部材１２を互いに離間させる方向に付勢している。押圧部材１２がシリンダ２７から抜け落ちないように、押圧部材１２には突起部１２Ａが形成されている。押圧部材１２は、飾り体保持部３の枠部を貫通して左右方向に通され、左右方向に移動可能となっている。押圧部材１２が飾り体保持部３から抜け落ちないように、押圧部材１２には突起部１２Ｂが形成されている。
【００３７】
飾り体部２の飾り体保持部３と対向可能な面には、図３（Ａ）に示すように、突起２０が嵌め込まれるような凹部２２を有する係止部材２３が設けられている。飾り体部２と飾り体保持部３との間には、飾り体部２を開ける方向に弾性力が働くようにした飾り体部バネ２４が備えられている。
【００３８】
押圧係止部１１と係止部材２３とは、飾り体部２が飾り体保持部３に対して閉じられた状態で、係止部材２３の凹部２２に突起２０が嵌め込まれるように構成されている。押圧部材１２は、スプリング２８により、互いに離間する方向に付勢されている。そのため、凹部２２に突起２０が嵌め込まれた状態が保持され、飾り体部２が飾り体保持部３に対して閉じた状態が保持される。一方、左右の押圧部材１２を、スプリング２８の付勢力に抗して、互いに接近する方向に移動させると、突起２０が凹部２２から外れ、飾り体部バネ２４の付勢力で飾り体部２は、飾り体保持部３に対して開いた状態となる。
【００３９】
すなわち、押圧係止部１１を構成する２つの押圧部材１２が両側から押圧されると、それぞれの押圧部材１２の延長線上の軸に設けられた係留部材２１は、矢印Ｂで示す内側の方向に移動する。これにより、係留部材２１に設けられた突起２０も内側に移動して、係止されていた凹部２２との係止が解除されて、係止部材２３への係止状態が解除される。この結果、飾り体部２は、飾り体部軸ピン１０を中心として回転が可能とされ、開閉自在とされる。
【００４０】
飾り体回転部９には、図３（Ａ）に示されているように、螺旋状に巻かれた飾り体部バネ２４が配設されている。この螺旋状に巻かれた飾り体部バネ２４は螺旋状の両端部２４Ａ、２４Ｂは、直線状とされている。飾り体部バネ２４の一方の端部２４Ａがシリンダ２７の上に置かれ、他方の端部２４Ｂは、飾り体部２の内面に当接するように構成されている。
【００４１】
この結果、飾り体部２が一旦開くと、飾り体部２の内面２９に当接される飾り体部バネ２４が同じ方向への抵抗となり、飾り体部２が簡単に閉じてしまうことを防ぐこととなる。また、飾り体保持部３の飾り体部軸ピン１０側には、開いたときに飾り体保持部３の下方側の先端に突き当たる端部ストッパー突起部３０が設けられていて、飾り体部２が過剰に回転して開きすぎることがない様にされている。
【００４２】
また、図２（Ｃ）に示されているように、飾り体保持部３と係留体４の上端１３の近くに係留体回転部１８を介して連結されている前方柱状部１６と後方柱状部１７とに渡って、コの字状の板バネ２６が設けられている。この板バネ２６は、その一端部が飾り体保持部３に、他端部が係留体４にそれぞれ固定されている。板バネ２６は、飾り体保持部３と係留体４とを閉じる方向に付勢している。
【００４３】
この結果、飾り体保持部３と係留体４とは、外部から新たな力が加えられない限り両者の下方部の先端が接触する構成となっている。そして両者の間に何かが入り込むと、両者は一定の間隔に保たれることになる。すなわち、この実施の形態では帯紐Ａを一定の力で挟み込んで保持する働きが与えられることとなる。なお、この板バネ２６は図２（Ｃ）では、両端が上方（矢印Ｘ２方向）に向くものとなっているが、両端が下方（矢印Ｘ１方向）に向くようにしても良いし、また他の公知のバネ材を用いることも可能である。
【００４４】
図３（Ａ）、（Ｂ）は、機能体５のそれぞれ異なる例を示す図であり、飾り体部２の内面側、すなわち飾り体部２の内面２９側について説明する斜視図である。
【００４５】
図３（Ａ）は、機能体５が表示体であって、例示としてアナログ時計を示したものである。すなわち、飾り体部２は、長方形の筐体状に形成されており、飾り体部２の内面２９側から見て、表示体例としての時計と、係止部材２３と飾り体回転部９と外部操作部材１４とが配設されている。機能体５が時計の場合は、たとえば時計の裏蓋などが飾り体部２の内面２９に嵌め込まれるようにして取り付け、取り外しが可能とされているのが好ましい。また、外部操作部材１４が例えば竜頭（リューズ）などの場合は、筐体状の飾り体部２の側面とされている筐体立ち上り部６に突出するように設けられるのが好ましい。
【００４６】
なお、外部操作部材１４が平面状の筐体立ち上り部６の平面（側面）より突出していて、着衣などを擦傷する恐れのある場合、筐体立ち上り部６の一部を平面より内側に凹ませ、外部操作部材１４の先端が筐体立ち上り部６の平面より突出しないようにすることが好ましい。
【００４７】
機能体５が配設されている位置の反対側、すなわち下端８向きに順次、係止部材２３、飾り体回転部９が設けられている。係止部材２３は、押圧係止部１１の一部を構成するもので、板状の部材の両端が立ち上げられていて、略コの字状の形状とされている。この両端の立ち上がりの部分には凹部２２が設けられ、押圧部材１２上に配設されている係留部材２１の一部である突起２０と係合するように構成されている。すなわち、押圧部材１２が押圧されると、突起２０は、矢印Ｂで示す内側に移動して凹部２２との係合が解除されることとなる。また押圧部材１２を押圧しながら、飾り体部２と飾り体保持部３とを合体させた後、押圧を解除すると、凹部２２に突起２０が入り込み係留される。
【００４８】
飾り体部２の下端８寄りには、飾り体回転部９を構成する飾り体部回転軸受け部９Ａとそれに巻き付けられている飾り体部バネ２４が設けられている。飾り体部回転軸受け部９Ａは、中心に飾り体部軸ピン１０が挿通されるようになっている。これにより、飾り体部２が飾り体保持部３に対して回転可能に軸支される。飾り体部回転軸受け部９Ａの中央部に螺旋状の飾り体部バネ２４が配設されている。また、この飾り体部バネ２４の一方の端部２４Ａは、シリンダ２７の上に置かれ、他方の端部２４Ｂは、飾り体部２の内面２９に当接するように構成されている。この結果、飾り体部バネ２４が、飾り体部２の開閉を容易にする働きをもたらす。また、飾り体部バネ２４の両端をそれぞれシリンダ２７と内面２９に固定すると、飾り体部２が過剰に開きすぎないようにすることができる。
【００４９】
なお、飾り体部２に設けられる機能体５は、飾り体回転部９と反対側、すなわち、帯紐Ａに装着された飾り体部２が開いた状態において、飾り体回転部９から所定距離を隔てた前側に位置するようにすることが好ましい。このように機能体５を配置することで、操作者が、機能体５（時計）を見る際に、着物の陰になり難くすることができ、また、操作も行い易くなる。
【００５０】
該所定距離としては、たとえば、飾り体部軸ピン１０から機能体５までの距離が、２センチ以上５センチ以下であることが好ましい。３センチ以上であればより好ましく、見易さや操作のし易さをより確実に確保することができる。該所定距離が、５センチを超えても、機能面では大きな差支えはなく、むしろ、機能体５の種類や大きさ等によっては、見易さや操作のし易さを一層、確実なものとすることができる場合もある。しかしながら、装飾具１は、装飾性を重要な要素とする。そのため、該所定距離が、５センチを超えると、飾り体部２が大型し、人体や帯に対して大きさ等のバランスを欠き易く、好ましくない。
【００５１】
図３（Ｂ）には、機能体５が容器となる収納部１００を有している機能筐体部１０１が示されている。機能筐体部１０１の内面には、筐体蓋部１０２が設けられていて、この筐体蓋部１０２を開閉することで、物品の収納が可能とされるようになっている。この筐体蓋部１０２の開閉は、上端１３寄りに設けられている筐体開閉バネ１０３の支点を中心にして矢印Ｃ方向に開閉が可能とされている。さらに、筐体蓋部１０２の下端８寄りの側面側に係留突起１０２ａが設けられており、筐体立ち上り部６に設けられている凹部（図示せず）に手で押し込んだり、外したりすることが可能とされている。なお、上述の係留突起１０２ａと該係留突起１０２aがはめ込み可能な凹部（図示せず）とを対として、一対が設けられるとされているが、向かい合う両側面側にそれぞれ各一対設けるようにしてもよいし、また両側面側にそれぞれ複数対設けるようにしてもよい。さらには、両側面側のそれぞれに設ける対の数は異なるものとしてもよい。
【００５２】
なお、この筐体蓋部１０２にも装飾を施すことが可能とされており、飾り体部２を開いた時に、さりげない美的雰囲気を醸し出させることが可能である。また、係留体４としては、枠状ではなく板体状など他の形状としてもよい。また、係留体４の一方の先端側は凸状にするのではなく、逆に凹状にしたり、平坦状にしたりしてもよい。なお、係留体４は、装飾具１を装着したとき、飾り体部２に比べ先端が飛び出すような形状としたが長さを短くし飛び出さないようにしてもよい。
【００５３】
次に、図４を用いて本考案の他の実施の形態について説明する。図４（Ａ）は、装飾体１の飾り体部２の図示が省略されている斜視図であって、飾り体保持部３と、枠状の係留体４に代わりに板状係留体４０とが用いられている様子が示されている。すなわち、板状係留体４０は、中央部分が空隙とされている枠状の係留体４とは異なり、一枚の板状とされている。板状係留体４０を用いることで、枠状の係留体４を用いる場合に比べて、装飾具１の剛性を高くすることができる。つまり、板状係留体４０を用いる装飾具１は、前後、上下、左右から変形圧力がかかっても変形し難い構造となっている。
【００５４】
また、飾り体保持部３の下端３Ｂの一部は切り欠かれ、飾り体回転部間隙３Ｃが設けられている。この飾り体回転部間隙３Ｃは、飾り体部回転軸受９Ａ（図５参照）を嵌め込むことができる間隙とされている。飾り体回転部間隙３Ｃの左右において対向する下端３Ｂのそれぞれの端部には、軸ピン孔１０Ｂが設けられている。図５に示すように、飾り体回転部間隙３Ｃには、軸ピン孔１０Ｂに端部が挿入される飾り体部軸ピン１０Ａが配置される。飾り体部軸ピン１０Ａには、飾り体部回転軸受９Ａが回転可能に挿通されている。そして、飾り体部回転軸受９Ａには、飾り体部２が取り付けられている。したがって、飾り体部２は、飾り体部軸ピン１０Ａを中心にして、飾り体保持部３に対して前後に貝のように開閉することができる。
【００５５】
さらに、図４（Ｂ）を用いて係留体回転部１８Ａについて説明する。係留体回転部１８Ａは、前方軸受け部１６Ｂ，１６Ｂと、後方軸受け部１７Ｂ，１７Ｂと、回転軸１９とを有している。前方軸受け部１６Ｂと前方軸受け部１６Ｂとは、飾り体保持部３の上端３Ａの近くに、左右に間隔を開けて設けられている。また、後方軸受け部１７Ｂと後方軸受け部１７Ｂとは、板状係留体４０の上端４０Ｂの近くに、左右に間隔を開けて設けられている。後方軸受け部１７Ｂ，１７Ｂは、後方軸受け部１７Ｂ，１７Ｂの後方に突出するように設けられている嵌合突起４０Ｃが、板状係留体４０に設けられている嵌合孔４０Ｄに嵌め込まれて板状係留体４０に固定される。前方軸受け部１６Ｂ，１６Ｂと後方軸受け部１７Ｂ，１７Ｂとには、回転軸１９が貫通している。したがって、飾り体保持部３と板状係留体４０とは、回転軸１９に対して回転可能に軸支されている。すなわち、飾り体保持部３と板状飾り体部４０とは、回転軸１９を支点として貝が開いたり閉じたりするように回転可能とされる。また、コの字状の板バネ２６が前方軸受け部１６Ｂ，１６Ｂの上側の側面に設けられ、飾り体保持部３と板状係留体４０とを閉じる方向に付勢させている。なお、このコの字状の板バネ２６（図４（Ａ）参照）は、前方軸受け部１６Ｂ，１６Ｂの下側の側面に設けてもよい。
【００５６】
さらに、飾り体部２が飾り体保持部３に係止される他の実施の形態について、図５の部分斜視図を用いて説明する。押圧係止部１１Ａは、左右に配置される２つの外側押圧部材１２Ｃ，１２Ｃと、内側押圧部材１２Ｄと、左右に配置される２つの回転用係留部材２１Ａ，２１Ａと、左右に配置される２つの固定係止部材２３Ａ，２３Ａとを有している。２つの回転用係留部材２１Ａ，２１Ａの上方側の内側には、内側押圧部材１２Ｄが配設されている。内側押圧部材１２Ｄは、左右に配置される回転用係留部材２１Ａ，２１Ａを互いに離間する方向（矢印Ａ方向）に付勢している。内側押圧部材１２Ｄは、図示を省略するバネを備え、このバネの付勢力により、回転用係留部材２１Ａ，２１Ａを互いに離間する方向に付勢している。また、回転用係留部材２１Ａ，２１Ａの下方の端部は、飾り体保持部３の左右に渡されている橋渡部２１Ｄに設けられている挿入孔２１Ｃに挿入され、係留部材回転ピン２１Ｂにより回転可能に支持されている。これにより、左右の外側押圧部材１２Ｃと外側押圧部材１２Ｃとを内側押圧部材１２Ｄの付勢力に抗して接近する方向に押圧すると内側押圧部材１２Ｄが縮み、左右の外側押圧部材１２Ｃと外側押圧部材１２Ｃは、それぞれ係留部材回転ピン２１Ｂを回転中心として回転し互いに接近する。押圧を解くと、内側押圧部材１２Ｄの復元力により左右の外側押圧部材１２Ｃと外側押圧部材１２Ｃは離間する。
【００５７】
飾り体部２には、固定係止部材２３Ａが設けられている。固定係止部材２３Ａは、飾り体部２と飾り体保持部３とが閉じている状態で、回転用係留部材２１Ａ，２１Ａと飾り体保持部３との間に位置するように配置されている。固定係止部材２３Ａは、断面形状で後方側が幅狭の逆台形形状とされている。一方、回転用係留部材２１Ａの固定係止部材２３Ａと対向する部分は、断面形状で後方側が幅広の台形とされている。そして、飾り体部２と飾り体保持部３とが閉じている状態において、固定係止部材２３Ａと回転用係留部材２１Ａとは、飾り体部２と飾り体保持部３とが開く方向に対して互いに係合可能に構成されている。固定係止部材２３Ａと回転用係留部材２１Ａとが係合することにより、飾り体部２と飾り体保持部３との開く方向への回転が阻止される。また、内側押圧部材１２Ｄが、外側押圧部材１２Ｃと外側押圧部材１２Ｃとを離間する方向に付勢している。そのため、回転用係留部材２１Ａと固定係止部材２３Ａとの係合が確実に行われる。したがって、飾り体部２に前方側に引っ張る力（開く力）が加えられても容易に係合が外れることがなく、飾り体部２（図示省略）と飾り体保持部３とを折りたたんだ状態に保つことが可能となる。
【００５８】
左右の外側押圧部材１２Ｃと外側押圧部材１２Ｃとを内側押圧部材１２Ｄの付勢力に抗して内側（右の外側押圧部材１２Ｃと外側押圧部材１２Ｃとが接近する側）に押圧すると、左右の回転用係留部材２１Ａが内側に移動し、固定係止部材２３Ａとの係合が解除される。よって、飾り体部２と飾り体保持部３とは飾り体回転部９で貝が開閉するように回転可能とされる。
【００５９】
以上説明したように、本考案は上述の各実施の形態のみに限定されるものではなく、本明細書で説明されている各構成要素の種々な組合せと変形が可能である。
【００６０】
また、係留体回転部１８は、回転軸１９を備えているが、回転軸１９を備える代わりに、前方柱状部１６と後方中央部１７との重なり部分に、互いに嵌合する円柱状のボスとこのボスが嵌るボス孔とを形成し、このボスとボス孔とにより、前方柱状部１６と後方中央部１７とを回転可能に連結する構成としてもよい。また、飾り体保持部３は係留体４より短小とされているが、同一長または長大としてもよい。さらに、飾り体保持部３は、枠状とされているが、板状など他の形状としてもよい。
【００６１】
また、飾り体回転部９は、柱状とされているが中央の部分などをなくし、左右２点支持形状や、左右と中央の３点支持形状など他の形状としてもよい。また、機能体５は飾り体部２の内面２９側に設けられているが、反対側の外面側に設けるようにしたり、時には機能体５を設けないようにしたりしてもよい。さらに、飾り体部２は筐体状に形成するのではなく枠状としたり、格子状としたりなど他の形状としてもよい。
【産業上の利用可能性】
【００６２】
本考案は、和服に用いる装飾具以外に、例えば洋服のベルトやなどに係留される装飾具としても利用できる。和服に用いる場合は、帯飾りが好適であるが、襟元につけたりしてもよい。
【符号の説明】
【００６３】
１              装飾具                        
２              飾り体部
３              飾り体保持部
４              係留体
５              機能体
７              装飾部
９              飾り体回転部
１５            隙間
１８            係留体回転部
１０２          筐体蓋部（蓋）
【図１】
0003168660.tif 000003
【図２】
0003168660.tif 000004
【図３】
0003168660.tif 000005
【図４】
0003168660.tif 000006
【図５】
0003168660.tif 000007